(57)【特許請求の範囲】
【請求項１】
壁パネルを敷設して壁面が形成される部屋構造において、
前記壁パネル同士が直交するコーナー部は、Ｌ字状に形成されたコーナーパネルを介して前記壁パネル同士が接合され、
前記コーナーパネルは、前記壁パネルとの接合端面に凸状部が形成されるとともに、室内側に円弧面が形成され、該円弧面は、室内側に向けて突出するように形成されるとともに、両端部近傍がＳ字状に湾曲されて、なだらかな曲面に形成され、
前記壁パネルは、前記コーナーパネルとの接合端面に前記凸状部が嵌入される凹状部が形成され、
前記コーナーパネルと前記壁パネルは、前記凸状部と前記凹状部とを嵌め合せることで、互いに接合されることを特徴とする部屋構造。
【請求項２】
前記コーナーパネルを中空状に形成するとともに、前記円弧面に複数の穴を形成し、該穴からエアを吹き出すことを特徴とする請求項１に記載の部屋構造。
【発明の詳細な説明】
【０００１】
【発明の属する技術分野】
本発明は部屋構造に係り、特に室内圧力が室外圧力よりも陰圧に制御される感染症病室の部屋構造に関する。
【０００２】
【従来の技術】
感染症患者が入院する感染症病室は、患者から発生する感染性の病原菌が室外に流出するのを防ぐため、室内圧力を室外圧力よりも陰圧に制御している。このため、感染症病室は気密性が要求され、その壁面を施工する際は、壁パネル同士の突き合わせ部分をシーリング材でシールするようにしている。
【０００３】
【発明が解決しようとする課題】
しかしながら、壁パネル同士が直交するように突き合わされて形成される壁面のコーナー部分は施工が難しく、シール作業に熟練を要するという欠点がある。
【０００４】
また、病室稼働時には、患者から発生した病原菌を排気口に設置したＨＥＰＡフィルタで捕集するために室内を換気するが、直交するコーナー部分にまで気流が行き届かないため、コーナー部分に塵埃や病原菌が滞留し、汚染されるという欠点がある。このため、コーナー部分は定期的に清掃する必要があるが、構造上隅部分まで完全に清掃することは困難であるという欠点がある。
【０００５】
本発明は、このような事情に鑑みてなされたもので、容易に施工でき、清掃性に優れた部屋構造を提供することを目的とする。
【０００６】
【課題を解決するための手段】
本発明は、前記目的を達成するために、壁パネルを敷設して壁面が形成される部屋構造において、前記壁パネル同士が直交するコーナー部は、Ｌ字状に形成されたコーナーパネルを介して前記壁パネル同士が接合され、前記コーナーパネルは、前記壁パネルとの接合端面に凸状部が形成されるとともに、室内側に円弧面が形成され、該円弧面は、室内側に向けて突出するように形成されるとともに、両端部近傍がＳ字状に湾曲されて、なだらかな曲面に形成され、前記壁パネルは、前記コーナーパネルとの接合端面に前記凸状部が嵌入される凹状部が形成され、前記コーナーパネルと前記壁パネルは、前記凸状部と前記凹状部とを嵌め合せることで、互いに接合されることを特徴とする部屋構造を提供する。
【０００７】
本発明によれば、コーナー部分にコーナーパネルを用いることにより、その施工の際、パネル同士を直交させて突き合わせる必要がなくなり、施工が容易になる。また、コーナーパネルは室内側の面が円弧状に形成されているため、気流の滞留を抑制でき、塵埃等の付着を抑制できる。これにより、簡単に清掃することができる。
【０００８】
【発明の実施の形態】
以下、添付図面に従って本発明に係る部屋構造の好ましい実施の形態について詳説する。
【０００９】
図１は、本発明に係る部屋構造が適用された感染症病室の平面図である。同図に示すように、感染症病室１０は、病室１２と前室１４とで構成されている。病室１２への入室は前室１４を介して行われ、病室１２内には洗面室１６とトイレシャワー室１８とが備えられている。
【００１０】
病室１２の壁面には、空気調和のための病室用給気口２０と病室用排気口２２とが設置されている。病室用給気口２０には図示しない給気ダクトが接続されており、この給気ダクトから供給される空調エアが病室用給気口２０を介して病室１２内に供給される。また、病室用排気口２２には図示しない排気ダクトが接続されており、病室１２内に供給された空調エアは、病室用排気口２２を介して排気ダクトから排気される。
【００１１】
なお、病室用給気口２０と病室用排気口２２は、互いに対向する壁面に設置され、それぞれＨＥＰＡフィルタが取り付けられる。また、患者２６のベッド２８は病室用排気口２２の近傍に設置され、その気流上流側に前室１４から病室１２への病室ドア３０が設置される。
【００１２】
前室１４の天井面にも同様に空気調和のための前室用給気口３２と前室用排気口３４が設置されている。前室用給気口３２には図示しない給気ダクトが接続されており、この給気ダクトから供給される空調エアが前室用給気口３２から前室１４内に供給される。また、前室用排気口３４には図示しない排気ダクトが接続されており、前室１４内に供給された空調エアは前室用排気口３４を介して排気ダクトから排気される。
【００１３】
なお、前室用給気口３２と前室用排気口３４には、それぞれＨＥＰＡフィルタが取り付けられる。
【００１４】
病室１２と前室１４は、それぞれ室内の圧力が陰圧制御され、室外に病原菌が流出しないようされている。各室の圧力は、たとえば室外に対して病室１２が−４０Pa、前室１４が−２０Paになるように制御される。
【００１５】
なお、病室１２と前室１４との差圧調整は、病室１２と前室１４との間の壁面に設置された病室用差圧調整ダンパ３６によって行われ、前室１４と室外との差圧調整は、前室１４と室外との間の壁面に設置された前室用差圧調整ダンパ３８によって行われる。
【００１６】
ここで、前記前室用給気口３２は病室用差圧調整ダンパ３６の近傍に設置され、前記前室用排気口３４は前室用差圧調整ダンパ３８の近傍に設置される。こののように設置することにより、前室用給気口３２から供給される清浄空気の一部が前室用差圧調整ダンパ３６を通過して病室１２に供給されるようになり、前室用差圧調整ダンパ３８から供給される清浄ではない空気が前室用排気口３４のＨＥＰＡフィルタに捕集されるようになる。この結果、室外からの流入する空気中の浮遊細菌や塵埃が前室１４内で大部分が捕集されるようになり、前室１４内も比較的清浄空間になる。また、病室用差圧調整ダンパ３６を通過して病室１２に供給される空気は、前室１４内の前室用給気口３２から給気される清浄空気であり、陰圧制御している病室１２内でも清浄が保持される。
【００１７】
病室１２及び前室１４の内壁面は複数枚の壁パネル４０を敷設して形成されている。この壁パネル４０は、所定の幅をもって形成されており、その高さは床から天井までの高さと同じ高さで形成されている。病室１２及び前室１４の内壁面は、この壁パネル４０を横方向に隙間なく並べて敷設することで形成される。
【００１８】
また、壁パネル同士が直交するコーナー部には、Ｌ字状に形成されたコーナーパネル４２が用いられ、このコーナーパネル４２を介して壁パネル４０同士が接合される。
【００１９】
図２は、コーナーパネル４２の平面図である。同図に示すように、コーナーパネル４２は、左右対称に形成されており、床から天井までの高さと同じ高さを持って形成されている。また、その室内側には凹状に湾曲した円弧面４２Ａが形成されている。壁パネル４０は、このコーナーパネル４２の両端部に突き合わせて接合される。
【００２０】
ここで、このコーナーパネル４２の両端面には、それぞれ凸状部４４が形成されており、壁パネル４０の端面には、この凸状部４４が嵌入される凹状部４６が形成されている。壁パネル４０とコーナーパネル４２は、この凸状部４４と凹状部４６とを嵌め合わせることで、互いに隙間なく接合される。
【００２１】
なお、３枚の壁パネル４０が接合されるＴ字状のコーナー部には、図３に示すように、Ｔ字状に形成されたコーナーパネル４８が用いられる。このコーナーパネル４８も上述したＬ字状のコーナーパネル４２と同様に室内側に凹状に湾曲した円弧面４８Ａ、４８Ａが形成されている。また、接合端面には、それぞれ凸状部５０、５０、５０が形成され、この凸状部５０と壁パネル４０の端面に形成された凹状部に嵌め込むことで、互いに隙間なく接合される。
【００２２】
また、４枚の壁パネル４０が接合される十字状のコーナー部には、図４に示すように、十字状に形成されたコーナーパネル５２が用いられる。このコーナーパネル５２も上述したＬ字状のコーナーパネル４２と同様に室内側に凹状に湾曲した円弧面５２Ａ、５２Ａ、…が形成されている。また、接合端面には、それぞれ凸状部５４、５４、…が形成され、この凸状部５４と壁パネル４０の端面に形成された凹状部に嵌め込むことで、互いに隙間なく接合される。
【００２３】
以上のようにコーナー部をコーナーパネル４２を用いて形成することで、内壁面のコーナー部は円弧状に形成される。
【００２４】
なお、壁パネル４０同士及び壁パネル４０とコーナーパネル４２との接合部には図示しないパッキン材が取り付けられる。また、接合後に接合部分はシーリング材でシールが施される。これにより、室内の気密性が高められる。
【００２５】
本発明に係る部屋構造が適用された感染症病室１０は以上のように構成される。この感染症病室１０によれば、コーナー部が円弧状に形成されているため、コーナー部分に塵埃や病原菌が滞留しにくく、清浄な環境を維持できる。
【００２６】
また、清掃時もコーナー部が円弧状に形成されているため、容易に清掃することができる。
【００２７】
また、施工時も壁パネル４０をコーナーパネル４２の両端部に突き合わせるだけなので、簡単に施工することができる。
【００２８】
図５は、本発明に係る部屋構造が適用された感染症病室の第２の実施の形態を示す側面断面図である。
【００２９】
同図に示すように、本実施の形態の感染症病室６０は、壁面が二重構造になっている。すなわち、上述した実施の形態の壁パネル４０とコーナーパネル４２とで構成される内壁面６２の外側に外壁面６４が形成されている。
【００３０】
外壁面６４は、内壁面６２を内包する構造となっており、その間には所定幅の空間６６が形成されている。病室１２又は前室１４に設置される照明６８やコンセント７０などのコード類７２、７２、…は、すべてこの外壁面６４と内壁面６２との間に形成された空間６６を通して配線される。そして、一箇所に集約され、外壁面６４に形成された配線取出口７４から室外に取り出される。
【００３１】
同様に病室１２に設置された洗面室１６やトイレシャワー室１８からの配水管類７６も全て外壁面６４と内壁面６２との間に形成された空間６６を通して配管される。そして、一箇所に集約され、外壁面６４に形成された配管取出口７８から室外に取り出される。
【００３２】
また、内壁面６２に形成されたコード類７２の取出口や配水管類７６の取出口は、すべてシーリング材でシールされる。同様に外壁面６４に形成された配線取出口７４や配管取出口７８もシーリング材でシールされる。
【００３３】
以上のように構成された本実施の形態の感染症病室６０によれば、壁面が二重構造とされているため、気密性の高い感染症病室を提供することができる。
【００３４】
また、外壁面６４と内壁面６２との間に形成された空間６６を利用してコード類７２や配水管類７６の配線・配管を行い、一箇所に集約して室外に取り出すことにより、更なる気密性の向上を図ることができる。
【００３５】
図６はコーナーパネルの他の実施の形態を示す斜視図である。同図に示すように、このコーナーパネル８０は中空状に形成されている。そして、その室内側に形成された円弧面８２には、多数の穴８４、８４、…が形成されている。施工方法は、上述した実施の形態のコーナーパネル４２と同じであり、両端部に壁パネル４０を突き合わせて壁パネル４０と接合する。
【００３６】
このコーナーパネル８０の中空部には空調エアが供給され、供給された空調エアは円弧面８２に形成された多数の穴８４、８４、…から室内に吹き出される。これにより、コーナー部に生じる滞留状態を解消でき、コーナー部に病原菌や塵埃の付着を防止できる。この結果、清掃作業がより簡単になる。
【００３７】
なお、図７に示すように、コーナーパネル８０の円弧面８２Ａは、室内側に向けて突出するように形成してもよい。この場合、コーナーパネル８０の両端部近傍はＳ字状に湾曲させ、なだらかな曲面に形成する。このように円弧面８２Ａを室内側に向けて突出させることにより、穴８４、８４、…から吹き出す気流の拡散性を向上させることができる。
【００３８】
なお、図３に示すＴ字状のコーナーパネル４８や図４に示す十字状のコーナーパネル５２についても同様に内部を中空状に形成し、その表面に形成した穴から空調エアを吹き出すように構成してもよい。
【００３９】
図８は、本発明に係る部屋構造が適用された感染症病室の第３の実施の形態を示す側面断面図である。
【００４０】
本実施の形態の感染症病室は、病室内に設置される家具や洗面台などを床面から浮かせた状態で設置し、壁面等と一体化したものである。そして、その壁面との境界部分を円弧状に形成したものである。
【００４１】
たとえば、同図に示すように、病室１２内に設置されるロッカー９０は、病室１２の床面９２から浮かせて設置されるとともに、その上面と背面とがそれぞれ病室１２の天井面９４と壁面９６とに密着して設置される。そして、その天井面９４と壁面９６との境界部分にはコーナー部材９８が敷設され、コーナー部が円弧面９８Ａをなすように形成されている。
【００４２】
また、洗面室１６に設置される洗面台１００は、洗面室１６の床面１０２から浮かせて設置されるとともに、その背面が洗面室１６の壁面１０４に密着して設置される。そして、その壁面１０４との境界部分にはコーナー部材１０６が敷設され、コーナー部が円弧面１０６Ａをなすように形成されている。
【００４３】
このように、病室内に設置される家具や洗面台などを床面から浮かせた状態で設置し、壁面等と一体化するとともに、その壁面等との境界部分を円弧状に形成することにより、家具等のコーナー部に生じる滞留状態を解消でき、家具等のコーナー部に病原菌や塵埃の付着を防止できる。この結果、清掃作業がより簡単になる。
【００４４】
なお、本実施の形態では、ロッカーと洗面台を例としたが、その他の家具等についても同様の方法で設置することが好ましい。
【００４５】
なお、上述した一連の実施の形態では、本発明に係る部屋構造を感染症病室に適用した例で説明したが、本発明の適用は、これに限定されるものではなく、一般の病室や一般の建物の部屋にも適用することができる。
【００４６】
【発明の効果】
本発明によれば、コーナー部分にコーナーパネルを用いることにより、その施工の際、パネル同士を直交させて突き合わせる必要がなくなり、施工が容易になる。また、コーナーパネルは室内側の面が円弧状に形成されているため、気流の滞留を抑制でき、コーナー部に塵埃等が付着するのを効果的に抑制することができる。これにより、清掃も簡単になる。
【図面の簡単な説明】
【図１】本発明に係る部屋構造が適用された感染症病室の平面図
【図２】コーナーパネルの構成を示す平面図
【図３】コーナーパネルの構成を示す平面図
【図４】コーナーパネルの構成を示す平面図
【図５】本発明に係る部屋構造が適用された感染症病室の第２の実施の形態を示す側面断面図
【図６】コーナーパネルの他の実施の形態の構成を示す平面図
【図７】コーナーパネルの他の実施の形態の構成を示す平面図
【図８】本発明に係る部屋構造が適用された感染症病室の第３の実施の形態を示す側面断面図
【符号の説明】
１０…感染症病室、１２…病室、１４…前室、１６…洗面室、１８…トイレシャワー室、２０…病室用給気口、２２…病室用排気口、２６…患者、２８…ベッド、３０…病室ドア、３２…前室用給気口、３４…前室用排気口、３６…病室用差圧調整ダンパ、３８…前室用差圧調整ダンパ、４０…壁パネル、４２…コーナーパネル、４２Ａ…円弧面、４４…凸状部、４６…凹状部、４８…コーナーパネル、４８Ａ…円弧面、５０…凸状部、５２…コーナーパネル、５２Ａ…円弧面、５４…凸状部、６０…感染症病室、６２…内壁面、６４…外壁面、６６…空間、６８…照明、７０…コンセント、７２…コード類、７４…配線取出口、７６…配水管類、７８…配管取出口、８０…コーナーパネル、８２…円弧面、８２Ａ…円弧面、８４…穴、９０…ロッカー、９２…床面、９４…天井面、９６…壁面、９８…コーナー部材、１００…洗面台、１０２…床面、１０４…壁面、１０６…コーナー部材
【図１】
0004214443.tif 000002
【図２】
0004214443.tif 000003
【図３】
0004214443.tif 000004
【図４】
0004214443.tif 000005
【図５】
0004214443.tif 000006
【図６】
0004214443.tif 000007
【図７】
0004214443.tif 000008
【図８】
0004214443.tif 000009